(57)【特許請求の範囲】
【請求項１】
シート材料を選別しかつ破壊するためのシステム(1)であって、少なくとも２つの供給場所に配置されたシート材料の選別装置(4)を備えており、前記選別装置(4)は、破壊されるべきシート材料を選別しかつ破壊されるべきシート材料を関連する供給場所に供給するものであり、また、前記システムは、シート材料を細断するための細断手段(2)と、破壊されるべきシート材料を供給場所から細断手段まで供給する供給コンベヤ・システム(3)とを備えているシート材料破壊装置を備えており、供給コンベヤ・システムが、破壊されるべきシート材料を、複数の異なる供給場所から細断手段(2)まで供給するために配置されているシステム。
【請求項２】
供給コンベヤ・システムによって、細断手段まで輸送される間の、破壊されるべきシート材料を検出するために、センサ手段が備えられている請求項１のシステム。
【請求項３】
センサ手段が、個々のシート材料を計数しうるように配置されている請求項２のシステム。
【請求項４】
供給コンベヤ・システム(3)が、吸込管システム(51,52)を備えており、吸込管システムが、主吸込管(51)および複数の副吸込管(52)を備えており、各副吸込管(52)が、関連する供給場所の下流端および上流端で、主吸込管(51)に開口させられている請求項１、２または３のシステム。
【請求項５】
吸込管システム(51,52)が、少なくとも供給場所で、矩形の横断面を有しており、前記矩形の横断面の長さ−幅の比率が、少なくとも５である請求項４のシステム。
【請求項６】
吸込管システム(51,52)が、少なくとも供給場所で、破壊されるべきシート材料を吸込管システムに供給するための入口と、空気を吸込むための少なくとも１つの空気穴とを有している請求項４または５のシステム。
【請求項７】
吸込管システム(52)が、供給位置に供給管(63)を備えており、上記供給管は、それ自身の入口(66)を上流端に有しており、前記入口は、吸込管システムの吸引管内に少なくとも部分的に入り込んでおり、前記少なくとも１つの空気穴は、前記供給管および吸込管間に備えられている請求項６のシステム。
【請求項８】
吸込管システム(51,52)が、少なくとも供給場所に、破壊されるべきシート材料を吸込管システムに供給するための漏斗形供給素子(62)を備えている請求項４〜７のいずれか１つのシステム。
【請求項９】
吸込管システムの一部を形成している吸込管の少なくとも一部の壁が、その少なくとも内側に模様を備えている請求項４〜８のいずれか１つのシステム。
【請求項１０】
更なる空気穴が、吸込管システムの一部を形成している吸込管を形成している少なくとも一部の壁に備えられている請求項４〜９のいずれか１つのシステム。
【請求項１１】
供給コンベヤ・システムが、細断手段の下流に配置された吸引源を備えている請求項４〜１０のいずれか１つのシステム。
【請求項１２】
破壊されるべきシート材料を複数の異なる供給場所に配置された選別手段によって選別しかつ破壊されるべきシート材料を関連する供給場所に供給するステップＡと、
シート材料を複数の異なる供給場所から細断手段まで供給コンベヤ・システムによって供給するステップＢと、
前記複数の異なる供給場所から来たシート材料を細断手段に到着した時に初めて前記の細断手段によって細断するステップＣと、
よりなるシート材料破壊方法。
【請求項１３】
個々のシート材料が、ステップＡの間に、連続して供給される請求項１２の方法。
【請求項１４】
複数の異なる供給場所からの、個々のシート材料が、複数の異なる供給場所の下流および細断手段の上流で計数される請求項１３の方法。
【発明の詳細な説明】
【技術分野】
【０００１】
本発明は、シート材料を細断するための細断手段と、破壊されるべきシート材料を供給場所から細断手段まで供給する供給コンベヤ・システムとを備えているシート材料破壊装置に関する。本発明の概念において、シート材料とは、薄い、可撓性の、矩形の材料、例えば、とくに、紙のシートを意味するものと理解され、それは、単独で情報を担持し、その観点において、単独で機能を発揮する。特に、紙幣は、シート材料であると考慮される。
【背景技術】
【０００２】
初めに参照される装置は、特許文献１に記載されている。この周知の装置において、それは、束のシート材料を破壊することを目的とし、コンベヤーベルトでできている。前記コンベヤーベルトの上流端に供給場所があり、そこにおいて、破壊されるべきシート材料の束は、コンベヤーベルトに手動で載置される。コンベヤーベルトにより運搬された後に、下流側端部で、束は、シート材料を幅の狭いストリップに切断するプレカット装置上へコンベヤーベルトから落下する。前記プレカット装置の下流で、幅の狭いストリップは、送風機によって、吸込管を経てメイン切断機構に吸い込まれる。ストリップは、メイン切断機構によって、更にその後細断される。
【０００３】
上記従来技術で処理されるシート材料の束は、流通しなくなった紙幣の束であってもよい。この種の紙幣は、オートメーション化した方法で選別され、適切な装置によって、束ねられる。この種の装置の具体例は、De La Rue社による商品名Cobra(R)として市場に出されている。この種の選別装置で、点検される紙幣の束は手動で装置内に載置され、その後、選別装置は様々な角度から紙幣を１枚ずつ点検する。周知の装置は、特定の基準を満たさない紙幣を、破壊されるべき紙幣の束に別々に選別する。この種の束は、特許文献１に記載されているように、その後、細断機へ搬送される。この種の手順は不正行為にいくらか影響され易く、それは、この種の装置を使用する中央銀行のための重大な欠点である。それが故に、Cobra選別装置を、直接的に選別装置に結合している細断装置と組み合わせることが公知であるということは、不十分である。
【０００４】
前記細断装置は、破壊されるべき紙幣を直接的に選別装置から引取り、前記紙幣をコンベヤーベルトによって、紙幣を破壊する細断手段へ輸送する。この種の構成の重要な利点は、拒否された紙幣は、拒否の瞬間の直後に、人間の干渉も無く、破壊されるという事実である。しかしながら、重要な欠点は、この種の構成の使用に関連するコストであり、特に、既知の選別装置が個々に使用されるが、グループ、例えば、６つの選別装置が使用されることは通常は無い。
【先行技術文献】
【特許文献】
【０００５】
【特許文献１】NL 9300706
【特許文献２】JP 04 082984 A
【特許文献３】EP-A1-1 393 809
【発明の概要】
【発明が解決しようとする課題】
【０００６】
本発明の目的は、導入部で言及した、問題の装置のより効率的な使用法を可能にする装置を提供することである。
【課題を解決するための手段】
【０００７】
その目的を達成するために、本発明による装置は、供給コンベヤ・システムが、破壊されるべきシート材料を、複数の異なる供給場所から細断手段まで供給するために配置されていることを特徴とするものである。多くの異なる供給場所を使う能力は、材料を本発明による装置に異なる源から供給することを可能にする。この種の源は、前述の選別機械または異なる種類の機械、例えば、切断機により形成される。一方では、供給場所で破壊されるべきシート材料は、また、手動で行うことができる。
【０００８】
これとは別に、特許文献２は、紙が様々な建物A1−A5において、局所的に細断され、そのスクラップは、最終的に、「スクラップ収集センタ」へ輸送されるシステムを記述している。前記スクラップ収集センタから、材料は、機械コンベヤによって、湿式のパルパー（パルプ製造機）へ輸送される。特許文献３に記述されたシステムにおいて、紙の細断が建物の異なる階で局所的に同様に行われ、その後、細断片は吸込管を経て中心収集場所へ輸送される。従って、どちらのシステムも、異なる供給場所からの紙の細断をするための共通の細断手段を使用しており、それどころか、本願発明とは対照的に、紙の細断が供給場所毎に分散的に行われている。
【０００９】
特に、しかし、排他的にでなく、個々のシート材料が供給場所に個々に供給される状況において使用される場合、供給コンベヤ・システムが吸込管システムを含むことは好ましい。吸込管システムの使用において、破壊されるべきシート材料は、供給場所から細断手段まで吸引され、供給場所および細断手段の間で破壊されるべきシート材料の必要な輸送を、比較的単純な手段で行うことが可能である。
【００１０】
比較的数の多い供給場所を使用することを可能にするために、細断手段の近くの吸込管の集中を避けるために、吸込管システムが、主吸込管および複数の副吸込管を備えており、各副吸込管が、関連する供給場所の下流端および上流端で、主吸込管に開口させられていることが好ましい。
【００１１】
好ましい実施例において、幾つかの副吸引管が、主吸引管に同一方向に開口させられていると、様々な供給場所から主吸引管に供給され、破壊されるべきシート材料間に衝突が発生しないことが、重要な利点である。この種の衝突は、破壊されるべきシート材料のために、そのシート材料によっても、障害につながるかもしれない。現在の好ましい実施例において、例えば、副吸込管が主吸込管に互いの側または上で開口していることは、考えられる。
【００１２】
特に、個々のシート材料、例えば、個々の紙幣を処理するために、吸込管システムが、矩形の横断面を有することがは好ましく、その場合、前記細長い横断面の長さ−幅の比率が、少なくとも５である。そのような断面形状は、個々の平坦状シート材料に順応し、利用できる吸入能力が可及的かつ能率的に利用される。
【００１３】
吸込管システムが供給場所で少なくとも矩形の横断面を有する場合、構造上、結合のために好ましい。
【００１４】
好ましい１つの実施例によれば、現実的理由から重要なのは、吸込管システムが、破壊されるべきシート材料を入口を通して吸込管システムに供給するための供給場所に入口と、空気を吸込むための少なくとも１つの空気穴とを有していることである。前記少なくとも１つの空気穴の使用は、空気が吸い込まれ、吸込管システムの内壁およびシート材料の間に真空が発生して、シート材料を吸込管システムの内壁に貼り付く危険度をかなり減らすことができる。
【００１５】
より詳細に好ましくは、吸込管システムが、供給位置に供給管を備えており、前記供給管は、それ自身の入口を上流端に有しており、前記入口は、吸込管システムの吸引管内に少なくとも部分的に入り込んでおり、前記少なくとも１つの空気穴は、前記供給管および吸込管間に提供されていることである。このように、空気が吸い込まれる上述した効果を保持して間に、シート材料が吸込管システムの内壁に貼り付くことを防止するという実施例は、構成的に単純な方法で提供される。
【００１６】
スペーサが、前記供給管および吸込管を間隔を保つために提供される場合、さらに、好ましく、その結果、シート材料の予測可能な性質をもつ明確な状況が得られる。
【００１７】
吸込管システムにシート材料の現実的供給を容易にするために、他の好ましい実施例は、吸込管システムが、漏斗形供給素子を経て破壊されるべきシート状材料を吸込管システムに供給するための少なくとも供給場所に漏斗形供給素子を備えていることを特徴とし、さらに、好ましくは、前記漏斗形供給素子が、水平に向けられており、その結果、例えば、多くのシート材料からの比較的単純な方法で、シート材料の吸入は水平方向において行われる。
【００１８】
吸込管システムの壁の内側にシート材料が貼り付く前記危険度を予防するために、吸込管システムの一部を形成している吸込管の少なくとも一部の壁が、その少なくとも内側に模様を提供されていると、それはさらに、好ましい。この好ましい実施例は、大きい表面が含まれるときに、シート材料が壁に貼り付く危険度がより大きいと認識する。実のところ、模様が使われる場合、吸込管の壁および破壊されるべきシート材料の間で生成される真空の危険度はかなり小さい。
【００１９】
別々にまたは組み合わせて、吸込管システムの一部を形成している吸込管の少なくとも一部の壁が、その少なくとも内側にコーティングを提供されていると、吸込管システムの壁にシート材料が貼り付く危険度は、また、減じられる。この種のコーティングは、例えば、テフロン（登録商標）層であり、破壊されるべきシート材料および吸込管システムの内壁間の摩擦力を減らすことができる。
【００２０】
好ましくは、吸込管システムは、吸込管システム内における供給場所および細断手段間の経路を閉ざすための遮断弁を備えている。遮断弁による吸込管システム内の特定の経路の遮断は、他の供給場所および細断手段間の他の経路の中で利用できる吸入能力を増やすことを可能にする。このような方法で、必要とされる吸引能力は、減じることができる。
【００２１】
望ましくは、遮断弁は、各供給場所および細断手段の間に提供される。これは、吸込管システム内で供給場所および細断手段間の特定の経路における必要とされる吸入能力を得ることにおいてより大きい柔軟性をもたらせる。
【００２２】
さらに、好ましくは、更なる空気穴が、吸込管システムの一部を形成している吸込管を形成している少なくとも一部の壁に提供されている。この種の穴は空気を吸い込むことを可能にする。そして、それは、空気は、これが要求される場所で吸込管システムの壁の内側にシート材料が貼り付く危険度を予防するかまたは少なくとも減らす。
【００２３】
本発明による装置によって、破壊されるべきシート材料の数を点検するために、センサ手段が、供給コンベヤ・システムによって、細断手段まで輸送される間の、破壊されるべきシート材料を検出するために提供されている。シート材料が有益な書類、例えば、紙幣からなる場合、この利点は特に大きい。
【００２４】
破壊される材料の供給コンベヤ・システムによる輸送を視覚的に追従することを可能とするため、吸込管システムの一部を形成している吸込管の少なくとも一部の壁が、透明であることが好ましい。例えば、透明な窓が、妨害が起こるかもしれない「重要な」位置で用いられることが可能である。
【００２５】
細断手段が、少なくとも１つの切断ナイフを備えていると、シート材料の非常に信頼性が高い破壊を、理解できる。
【００２６】
供給コンベヤ・システムが、細断手段の下流に配置された吸引源を備えていると、細断手段まで材料の妨害されない輸送を確実にする。
【００２７】
更なる本発明は、シート材料を貯蔵しかつ破壊するためのシステムであって、前記発明による装置と、少なくとも２つの供給場所に配置されたシート材料の貯蔵装置とよりなり、前記貯蔵装置は、破壊されるべきシート材料を選別しかつ破壊されるべきシート材料を関連する供給場所に供給するシステムに関する。この種のシステム内で、本発明による装置の非常に有利な利用は、理解され、シート材料の貯蔵および破壊間に人間の干渉は必要でなく、それは不正行為防止の理由で有利である。
【００２８】
本発明はまた、最後に、シート材料を破壊する方法に関し、これは、
シート材料を複数の異なる供給場所から細断手段まで供給するステップAと、
前記シート材料が前記複数の異なる供給場所から前記細断手段に到着した時にだけ、前記の細断手段にシート材料を細断させるステップBと、
よりなる。
【００２９】
この種の方法の利点は、本発明による装置の前記説明で、すでに述べられた。
【００３０】
望ましくは、個々のシート材料は、ステップAの間、連続して供給され、トラブルの危険度が小さい制御可能な方法を理解することを可能にする。
【００３１】
加えて、前の好ましい実施例は、非常に都合よく、破壊されているシート材料の量を点検することを可能にする。この構想内で、複数の異なる供給場所からの、個々のシート材料が、複数の異なる供給場所の下流および細断手段の上流で計数されることが好ましい。
【図面の簡単な説明】
【００３２】
【図１】図1aおよび1bは、シート材料を破壊するための本発明による装置を備えた、本発明によるシート材料を貯蔵して、破壊するシステムの好ましい実施例の斜視図および平面図である。
【図２】図2aは、図1aおよび1bに示される装置の吸込管を形成している部分の横断面図である。
【００３３】
図2bは、他の吸込管の横断面図である。
【図３】図3aおよび3bは、図2aの吸込管の可能な実施例のより詳細な図である。
【図４】図4aおよび4bは、図2aの吸込管の壁の内側のより詳細な図である。
【図５】図5は、図1に示される装置の一部を形成している吸込管システムの接合部の斜視図である。
【図６】図6a-6cは、図5に示すように接合部の別の実施例を示す。
【図７】図7a-7cは、供給場所の一部の吸込管システムの斜視図、平面図および図7bの矢印に沿った長手方向断面図である。
【図８】図8は、一部の吸込管の平面図である。
【図９】図9aおよび9bは、遮断弁の位置で、吸込管システムの一部の吸込管の斜視図および垂直長手方向断面図である。
【図１０】図10aおよび10bは、吸込管システム内を移行中の平面図および側面図である。
【発明を実施するための形態】
【００３４】
図1aおよび1bは、システム1を示している。これにより、シート材料、例えば有益な紙、より詳しくは紙幣が選別され、必要に応じて、破壊される。システム1は、基本的には、細断装置2を備えている。これは、供給コンベヤ・システム3、6台の選別装置4および収集装置5を含んでいる。本発明の中核は、供給コンベヤ・システム3によって、特に形成される。細断装置2のような細断手段、選別装置4のような選別装置および収集装置5のような収集装置は、熟練した人にとってすでに公知であり、本発明の正しい理解のために必要な限りにおいてだけ、以下に説明される。
【００３５】
細断装置2は、ハウジング11を備えており、その内部には煙突12がある。煙突12の下には、回転ナイフのような細断手段があり、これにより、煙突内を落下するシート材料が細断される。その細断片は、排出吸込管13によって収集装置5に排出され、収集装置5のところで、容器14に収集される。収集装置5は、送風機15を備えており、これは、排出吸込管13内に大気圧未満の圧力を発生させ、かつ、上述した細断手段の下流に、大気圧未満の圧力を発生させる。さらに、注目すべきことは、収集装置5が油圧ユニット17を付随するプレス16を含んでおり、これにより、紙細断片は、ブロックに押し固められ、最終的に、パッケージ18に収集される。
【００３６】
既に指摘したように、選別装置4は、同様に当業者にとって公知である。例えば、参照するならば、De La Ree社のCobra(R)タイプの選別装置である。この種の選別装置4で、オペレータ21は、積み重ねられたシート材料、例えば、貴重な紙、より詳しくは、紙幣を、選別装置4に提供し、選別装置は、予め定められた基準に基づいて、シート材料を個別に評価して、前記評価に依存する貴重な紙と、破棄されるべき不良の紙とに選別する。選別装置4は、前記不良の紙を、ハウジング外の排出場所22に排出する。
【００３７】
少なくとも実質的に細断装置2に対応する細断装置は、Kusters Engineering B. V.社によってNo．RDS-100として、製造されている。ハウジング11の前方側に作業台19があり、そこで、オペレータ20は、ハッチ（詳細に図示せず）によって破壊されるシート材料を、ハッチに接続された吸引管31に提供し、その吸引管は煙突12の上に開口している。
【００３８】
供給コンベヤ・システム3は、吸込管システムを備えており、これは、2つの主吸込管51と、各々の主吸込管51のための3つの副吸入管52とよりなる。主吸込管51および副吸込管52は、図2aに示されているように、方形の横断面を有する。本発明の範囲内で、それが、また、吸込管51、52の選別的形状、例えば、図2bに示すように、楕円であっても良いが、非細長い断面形状を除外するものではない。
【００３９】
主吸込管51は、ハウジング11の側壁にできた穴を通って延びて、吸込管31のように、ハウジング11の中で煙突12の上方に開口している。副吸込管52は、十字形の連結管53によって、付随する主吸込管51に接続されている。連結管53の十字形状の中央上側に、搬送材料のウインドウ59が提供され、これを通じて、連結管53の内部が見える。
【００４０】
連結管53および副吸込管52との結合は、図10aおよび10bにおいて、更に詳細に示されている。フランジ・ジョイント54が副吸込管52および十字状連結吸引管53の結合のために用いられている。さらに、注目すべき重要な点は、連結位置で、連結管53の寸法が副吸込管52のそれらより大きい点であり、これにより、限られた範囲で、連結管53内に副吸込管52を挿入することを可能にする。このような構造が重要な点は、少なくとも細断装置2に向かう吸入方向55において、破壊されるシート材料を捕えるかも知れないエッジが形成されないことである。
【００４１】
図6a-6cは、副吸込管152、252、352をそれぞれ主吸込管151、251、351に接続するための3つの別の実施例を示す。副吸込管152は、主吸込管151に対し一方の上に他方が開口している。垂直な副吸込管252は、主吸込管251に対し各々の側で開口している。ねじれた副吸込管352は、同様に、垂直な主吸込管351に対し各々の側で開口している。図6a-6cで示す構成の利点は、図5に示される連結管53を使用することなく、異なる副吸引管からのシート材料が互いに衝突することが無いか、少なくとも、衝突する危険が相当に小さくて、吸引パイプシステムの、例えば、連結管53内でシート材料がブロックされる危険が相当に減じられる。
【００４２】
図7a-7cは、副吸込管52の入口側を更に詳細に示している。挿入部材61は、前記端に挿入されている。挿入部材61は、副吸込管52の外側で拡がる漏斗部分を備えており、それは、供給管部63に結合されている。供給管部63は、方形の断面形状を有しており、その長さ（すなわち、水平方向に選別）は、供給管部63をしまり嵌めで副吸込管52に挿入しうるように選別されている。供給管部63の幅（すなわち垂直方向に選別）は、しかしながら、副吸込管52の幅よりも相当小さく選別されていて、座管部63の上側および下側と、副吸引管52の上壁および下壁との間に隙間が生じており、隙間は空気ダクト64、65として機能する。前記ダクト64、65は、副吸込管52端部の上下に入口66、67をそれぞれ有しており、供給管部63の一部は漏斗部分62に連結され、その入口を経由して、空気が空気ダクト64、65に吸い込まれ、その空気は、最終的に、供給管部63を越えたところで、副吸込管52の残存する部分に導入される。空気ダクト64、65に特定の高さ、好ましくは、同じ高さを与えるために、座管部63の側壁68の高さは、副吸込管52の高さの範囲内で正確に適合するように選別されている。
【００４３】
漏斗部分62は、供給コンベヤ・システム3による細断装置2への次の輸送のために、例えば、紙幣のような個々のシート材料を、副吸引管52に信頼できるやり方で提供する。
【００４４】
驚くべきことに、挿入部材61の使用は、副吸込管52の上壁または下壁にシート材料が貼り付く危険度をかなり減らすようである。この危険は、個々のシート材料および副吸込管52の対応する壁の内側の間に真空が生じさせられ、その危険はシート材料が導入される場所にまた存在するようである。更に、前記の貼り付きの危険度を減らすために、吸込管システムのパイプ51、52の壁の少なくともそれの内側に模様を提供することが好ましく、それは、図3a、3bおよび図4a、4bに示されているように、例えば、円または楕円状突起81、82である。前記模様は、個々のシート材料および問題の壁の間でつくられる真空の危険度を減らす。
【００４５】
貼り付きの危険度を減らす他の解決策は、吸込管システムの吸込管の壁に穴91を提供（局所的に）することに見いだされ、その穴から空気が吸い込まれる。前記穴は、実際には、貼り付きの危険度が最も大きく見える所に提供される。更なる変形例または組合せの中で、吸込管の壁の内側に適切なコーティング、例えばテフロン（登録商標）を提供することが可能であり、それはいかなる摩擦力も減らすことができる。
【００４６】
図9aおよび9bは、遮断弁71を使用する可能性を示し、これは、主吸込管51に取り付けられるが、原則として、また、副吸込管52に取り付けられるかもしれない。遮断弁71は、閉位置71 ' および開位置71 '' 間で、枢支軸72の周りに回動可能である。開位置71 '' において、遮断弁71は、主吸込管51の上流の部分には拡がらず、その結果、遮断弁は、主吸込管51による輸送方向55に輸送されているシート材料への障害とならない。主吸込管51の遮断弁71を閉じる効果は、これが吸込管システムの残りの部分の吸入能力を増やすことを可能にする。これは、必要または好ましくは、例えば、オペレータ20が吸込管31を経由して搬送するために、シート材料の束を細断装置2に提出するときに必要であろう。
【産業上の利用可能性】
【００４７】
この発明によるシート材料破壊装置は、紙幣のようなシート材料を破壊することを達成するのに適している。
【符号の説明】
【００４８】
(2)  細断手段
(3)  供給コンベヤ・システム
(4)  選別装置（供給場所）
【図１ａ】
0005508855.tif 000002
【図１ｂ】
0005508855.tif 000003
【図２ａ】
0005508855.tif 000004
【図２ｂ】
0005508855.tif 000005
【図３ａ】
0005508855.tif 000006
【図３ｂ】
0005508855.tif 000007
【図４ａ】
0005508855.tif 000008
【図４ｂ】
0005508855.tif 000009
【図５】
0005508855.tif 000010
【図６ａ】
0005508855.tif 000011
【図６ｂ】
0005508855.tif 000012
【図６ｃ】
0005508855.tif 000013
【図７ａ】
0005508855.tif 000014
【図７ｂ】
0005508855.tif 000015
【図７ｃ】
0005508855.tif 000016
【図８】
0005508855.tif 000017
【図９ａ】
0005508855.tif 000018
【図９ｂ】
0005508855.tif 000019
【図１０ａ】
0005508855.tif 000020
【図１０ｂ】
0005508855.tif 000021